(57)【特許請求の範囲】
【請求項１】
複数種の手押し車に取り付ける事ができる弾力材を運転者の身体と手押し車の間に挟む事により運転者が前進する際に身体に前記の弾力材が当たることでその動力が手押し車に伝わり手押し車を動かす事ができる補助具であって、前記の補助具は弾力材と調整ベルトと上部固定ベルトと下部固定ベルトとハンドバンドを含み、前記の弾力材は、運転者の前進する際に伝わる衝撃を吸収しながらもすみやかに手押し車を前進させる力を伝える適当な弾力を持つものであり、
前記の調整ベルトは、ベビーカーまたは車いすのハンドル部分にかけるベルトであり、ベビーカーまたは車いすに弾力材を装着するためのベルトであって、運転者からの動力をベビーカーまたは車いすに適切に伝えるために長さを調整できる手段を含み、
前記の上部固定ベルトは調整ベルトよりも強固に装着したい場合に長さを使用でき、長さを調節できる手段を有し、
下部固定ベルトは弾力材の下部を固定させるものであり、
調整ベルトと上部固定ベルトと下部固定ベルトは先端が面ファスナーで連結させられる手段を設けており、
ハンドバンドは、手を使わずに手押し車を押せるようになった事で手押し車と運転者が離れてしまうことを防止するために手首通すものを含む事を特徴とする前記手押し車用補助具。
【請求項２】
前記の弾力材の形状は、多様化する手押し車の構造に対応するため、かまぼこ型やドーナツを半月のようなU字型にした物や筒状の形等を含み、
弾力材の素材とはスポンジやプラスチック、金属や浮き輪のような空気のバネを有したもの等を含む弾力性のある材質であり、弾力材が手押し車に接触することで、運転者の力を手押し車に伝える事ができることを特徴とする請求項１記載の手押し車用補助具。
【請求項３】
前記の弾力材は手押し車がリクライニンングした際に、頭がつっかえないで通過できる大きさのU字型であることを特徴とする請求項２記載の手押し車用補助具。
【請求項４】
多様化する手押し車の骨組みの傾斜に対応するため、手押し車に接触する弾力材の先端、または平らな部分に、接続させて弾力材を支える連結用小型弾力材を取り外し可能に備えた請求項１から３のいずれか一項に記載の手押し車用補助具。
【発明の詳細な説明】
【技術分野】
【０００１】
本発明は、手押し車、特にベビーカー用補助具または車椅子補助具に関する。
【背景技術】
【０００２】
従来のベビーカーには、背もたれが固定しているものと、リクライニング機能を有しているものとがある。（リクライニングできるものは例えば特許文献１参照）
また、対面式ベビーカーや三輪のバギーなどがあり大きさも小さいものから大きなものまで多種に至る。保護者がベビーカーを押す部分のハンドルもアーチ型のものと、左右に分かれたスティック型とがある。一方、車椅子のハンドルは一般的にスティック型が一般的である。
しかしながら、ベビーカーあるいは、車椅子を動かす力は、電動のもの以外は腕の力である。このように従来のベビーカーあるいは車椅子は、種類はあるが電動のものでない限り、運転者の腕の疲労は避けられなかった。そして腕の負担を軽減させる道具も知られていなかった。
【先行技術文献】
【特許文献】
【０００３】
【特許文献１】特開平０９−００２２８２号
【発明の概要】
【発明が解決しようとする課題】
【０００４】
従来の手押し車、特にベビーカーや車椅子には、次のような解決すべき課題があった。従来のベビーカーあるいは車椅子は腕力や握力だけで動かすため、運転者には労力を擁した。両腕で押し続ける必要があり片手では走行が不十分であった。そして電動式のベビーカー、または車椅子は腕力を使わずに済むが高価で重量があり持ち運びも困難であったさらに、ベビーカーあるいは、車椅子を動かすのに、腕力以外の力を加えることは、ベビーカーや車椅子に乗っている赤ちゃんやお年寄りへの衝撃を考え困難であった。
そしてベビーカーや車椅子は多種に至るため、さまざまなものに対応できる補助具の開発は困難であった。さらに補助具を取り付ける場所としてリクライニング機能のあるものに対しては、リクライニングを倒した場合に補助具が頭部にひっかかる問題があるためハンドル下の部分に補助具を付けるのは困難であった。
本発明は以上のような従来の欠点を鑑み、握力だけでなく胴体の力を利用してベビーカーや車椅子を動かす事を可能とし、電気の力も使わず安価であらゆるベビーカーや車椅子の種類にも対応し、運転者の体型に順応し運転者の労力を軽減させる運転を補助する手押し車、特にベビーカー用補助具または車椅子補助具を提供する事を目的としている。
【課題を解決するための手段】
【０００５】
前記の課題は、本発明により複数種の手押し車、特にベビーカーや車椅子に取り付ける事ができる弾力材を運転者の身体とベビーカーの間に挟む事によって運転者が前進する際に身体に弾力材に当たることでその動力がベビーカーまたは車いすに伝わり動かす事ができるベビーカー補助具または車いす補助具によって解決される。
本発明の手押し車とは特にベビーカーや車いすなど，手で押すタイプの車を意味する。本発明では特にベビーカーまたは車いす用として最適である。
前記ベビーカー用補助具または車いす用補助具は弾力材と調整ベルトと上部固定ベルトと下部固定ベルトとハンドバンドを含み、調整ベルトは、ベビーカーや車いすのハンドル部分に引っ掛けるベルトであり、ベビーカーまたは車いすと前記の弾力材を接着するためのベルトであって、運転者からの動きをベビーカーまたは車いすに適切に伝えられる長さに調整できる部分を含み、上部固定ベルトと下部固定ベルトは、弾力材の上部と下部をベビーカーまたは車いすに固定させるものであり、長さ調整できる手段を有し先端が面ファスナーのような連結させられる連結具を設けており、ハンドバンドは手を使わずにベビーカーまたは車いすを押せるようになった事でベビーカーまたは車いすと運転者が離れてしまうことを阻止するために手首を通すものを含む事を特徴とする前記ベビーカーまたは車いす用補助具によって解決することが出来る。
【０００６】
本発明の好ましい態様によれば、前記の弾力材の形状はかまぼこ型や湾曲するドーナツ型を半月のように半分にした字型の物等であり、材質はスポンジやプラスチック、金属や浮き輪のような空気のバネを有したもの等を含め、
運転者の前進の際に伝わる衝撃を吸収しながらもすみやかにベビーカーに前進させる力を伝える適当な弾力を持つものであり、補助具の先端もしくは平らな部分がベビーカーや車いすの骨組みに接触し運転者の踏み出した力を伝える事ができる形状である。
【０００７】
本発明の好ましい態様によれば、前記の弾力材の形状は、ベビーカーまたは車椅子のリクライニング機能を使用の場合に、頭に弾力材がひっかかってしまわないで通過できる大きさの湾曲するドーナツ型を半月のように半分にした形状等を含めた立体的U字型を有するものである。
【０００８】
本発明の好ましい態様によれば、ベビーカーまたは車椅子の骨組み部分が縦横に垂直でなく傾斜のある機種にも、効果的に接触部分の動力が伝わり使用する事を可能にするために、身体と接触する弾力材を平行に維持し力を伝えるための連結部分の角度を調整するものである弾力材の両端の先端または平らな部分に取り付けられる傾斜を有した先端角度変更用小型弾力材という連結具を備える。
本発明の好ましい態様によれば、前記の傾斜を有した先端角度変更用小型弾力材には、前記弾力材と連結するための連結具を有し、面ファスナー等が脱着に最適である。
本発明の好ましい態様によれば、前記のベビーカー補助具は複数種の車椅子にも同様の原理で取り付ける事ができ、同様の効果を備える。
本発明の好ましい態様によれば、前記の運転者が前進する際に、身体に弾力材を当てる部分とは、腹部分から下へ広がり足の膝部分までを身体部分の範囲とする。
【発明の効果】
【０００９】
本発明には次のような効果がある。
従来のベビーカーは腕や手ばかりが疲れたが、この補助具を使うことにより大幅に腕の疲労を軽減する事が出来る。脚力や下腹部全体の筋肉を利用するため、猫背になりがちな運転者の姿勢をまっすぐに出来、全身を活かせる運動機能をベビーカーまたは車椅子に見出す事が出来る。
そして補助具は調節が可能であるために、ベビーカーまたは車いすを押す人の体形を選ばずに、最も適切かつ、効果的に使用できる。
さらにこの補助具を使うことにより手は据えておくだけで直進できるため片手での走行が可能であるだけでなく動力は電力でなく人力の為に安価で軽量となれる。
また、補助具によって生まれた動力は骨組部分に伝わり前進するため、乗っている者に衝撃を与えることなく前進する事が可能である。
さらに補助具はあらゆるベビーカーまたは車椅子の共通部分である骨部分やハンドルに装着するためにさまざまなベビーカーや車椅子に対応し使用出来る。
例えば請求項３から出てくる効果では、弾力材の形状はU字型も可能であるため、ベビーカーまたは車椅子をリクライニングした状態でも乗っている人の頭部に補助具が接触することなく走行する事も可能である。
例えば請求項４から出てくる効果では弾力材を支える取り外し可能な連結用小型弾力材を備えた事で多様化するベビーカーや車椅子の骨組みの傾斜に対応し使用を可能にした。
【図面の簡単な説明】
【００１０】
【図１】実例１のかまぼこ型補助具の斜視図を示す。
【図２】実例１の補助具のベビーカー装着時斜視図を示す。
【図３】実例２の補助具の車いす装着時斜視図を示す。
【図４】実例１の補助具のベビーカー使用時斜視図を示す。
【図５】実例３のU字型補助具の斜視図を示す。
【図６】実例３のU字型補助具のベビーカー使用時。
【図７】実例３のU字型補助具に先端角度変更用小型弾力材をさらにベビーカーに装着した斜視図を示す。
【図８】図７のベビーカーに取り付ける先端角度変更用小型弾力材を示す。
【発明を実施するための形態】
【００１１】
以下、本発明を実施するための本発明の具体例について図面を用いて詳細に説明する。
【実施例１】
【００１２】
以下の説明で、図１、２、４、の本発明を実施するための形態において、
１は調整ベルトである。弾力材の上部の両端を繋いでいるベルトである。
２はかまぼこ型の弾力材である。
３は前記１の左右の端から伸びるベルトで上部固定用ベルトである。
４は前記１の左右の端から下に伸びるベルトで下部固定用ベルトである。
５は前記１から伸びるひもで先端が輪っかになっているバンドでハンドバンドである。
６はベビーカーの左右のハンドルである。
７は前記６を握った時の左右の骨組み部分であり、地面から垂直方向に立つ２本の骨組み部分である。
８は前記６のベビーカーの左右のハンドルを握った時の左右を地面と平行に繋いでいる骨組みで、地面に近い場所のもので下部骨組み部分である。
【００１３】
上記の実例１の組み立て順序を以下に示す。
前記１の調整ベルトを前記６のベビーカーの左右のハンドルにネックレスのようにかける。このことによって前記２のかまぼこ型の弾力材とベビーカーを連結させる。ネックレスのようにベルトをかけ装着する理由は、脱着を簡単にするからである。
前記３の上部固定用ベルトを左右の前記７のベビーかの左右の骨組み部分にそれぞれ連結させる。これは前記１の調整ベルトによる固定よりもさらに強固に連結する場合に前記２のかまぼこ型とベビーカーを接続させるために使用するものである。
前記４の下部固定用ベルトを左右の前記８の地面と平行に繋いでいる骨組みにそれぞれ連結させる。
これらの行程によって前記２のかまぼこ型の弾力材は上下に引っ張られる事で設定位置を固定することができ、ベビーカーとしっかり連結する。
また前記２のかまぼこ型の弾力材の素材はやわらか過ぎず、スポンジやプラスチック、金属や浮き輪のような空気のバネを有したもの等を含めた弾力性のある材質が好ましい。
前記５のハンドバンドを運転者の手首に通す。これによって運転者の手からベビーカーが離れる危険を防ぐ。
前記１の調整ベルト、前記３の上部固定用ベルト、前記４の下部固定用ベルト、前記５のハンドバンドの先端は長さの調節ができる部分を有しており、運転者の動力が弾力材に適切に伝える長さにすることができる。また、いずれもベルトの先端にある長さ調節と連結に使う部分の素材は脱着が容易な面ファスナーのようなものが好ましい。  
【００１４】
次に動作順序を示す。
図の４で示す通り、手はハンドルを持ちながら装着した前記２のかまぼこ型の弾力材に運転者は体を寄せながら一歩踏み出す。そうすることにより腕力ではなく、前記２のかまぼこ型の弾力材の当たる部分の胴体または足の部分の圧力が前記２のかまぼこ型の弾力材を通して前記７のベビーカーの左右の骨組み部分に伝わりベビーカーを前進させる。
かまぼこでいえば板が当たっている部分が前記２のかまぼこ型の弾力材の平らな部分であるが、運転者が前進した際に前記７のベビーカーの左右の骨組み部分に接触する事で、様々なベビーカーの前記７のベビーカーの左右の骨組み部分の左右の幅の長さや太さを選ばずに動力を生み出し使用できる。
これによって、動力は骨組み部分に働きかけるため直接的な衝撃を赤ちゃんに加えずに済むだけでなく、本発明は前へ体を寄せる事で生まれる動力を利用したことで、運転者は腕を使うよりはるかに体への負担が少なく前進させるのに大きな力を生み出す事ができる。
【実施例２】
【００１５】
次に、図３に示す本発明を実施するための異なる形態について説明する。なおこれらの本発明を実施するための異なる形態説明に当たって、本発明を実施するための最良の実施例１と同一の構成部分には同一符号を付して重複する説明を省略する。
９は車いすのハンドルである。10は前記９の車いすのハンドルを握った時の左右の骨組み部分であり、地面から垂直方向に立つ２本の骨組み部分である。11は、前記９の車いすのハンドルを握った時の左右を地面と平行に繋いでいる骨組みで、地面に近い場所のもので下部骨組み部分である。
実施例１と同様に前記２のかまぼこ型の弾力材を車いすに設置する。これにより、車いすでも実施例１と同様の原理で使用する事ができる。
【実施例３】
【００１６】
次に、図５、６に示す本発明を実施するための異なる形態について説明する。なおこれらの本発明を実施するための異なる形態説明に当たって、本発明を実施するための最良の実施例１と同一の構成部分には同一符号を付して重複する説明を省略する。
12は前記２のかまぼこ型の弾力材の形状がU字型になった弾力材である。
図５の発明品は実例１と同じ原理、効果を持つが形状だけが違うものである。
ベビーカーや車椅子の種類によっては、背もたれにリクライニング機能の付いているものがある。しかし実施例１の前記２のかまぼこ型の弾力材では、リクライニングを倒すと、乗っている人の頭部が前記２のかまぼこ型弾力材に接触する。
この事を回避するために、湾曲するドーナツ型を半月のように半分にした形状等を含めた立体的U字型を設けた。
Uの字型にすることにより、リクライニングを倒した状態にあっても、頭部をつっかえずに通過させられる前記12のU字型弾力材なら使用することができる。
図６に示すように、もともとリクライニング機能とはハンドルを持ちながら走行する運転者の足が当たらない角度に設計されているため、運転者の胴体や足の運動範囲の部分に前記12のU字型の弾力材を設置する事でリクライニングをしたまま弾力材を装着し使用する事ができる。
【実施例４】
【００１７】
次に図５、７、８に示す本発明を実施するための異なる形態について説明する。なおこれらの本発明を実施するための異なる形態説明に当たって、本発明を実施するための最良の実施例１と同一の構成部分には同一符号を付して重複する説明を省略する。
ベビーカーの形状によっては地面からほぼ垂直にある前記７のベビーカーの左右骨組み部分が大きく前方や後方へと傾斜を持つものもがあり、骨組み角度もさまざまである。そのため、そのようなベビーカーまたは車椅子の骨組みにも効果的に接触部分へと動力が伝わり使用を可能にする必要がある。
そこで図の７に示す通り、身体と接触する前記１２のU字型弾力材を平行に維持し、なおかつ傾斜のあるベビーカーまたは車いすの骨組み部分にも力を平行に伝えるために、図８で示すような前記１２のU字型弾力材の先端または平らな部分に装着する傾斜を有した小型弾力材である前記１４の先端角度変更用小型弾力材を備えた。13は前記12のU字型弾力材の両端にあり、先端角度変更用小型弾力材を連結させるための面ファスナーであり、14は前記１２のU字型の弾力材とベビーカーまたは車椅子に動力を的確に伝えるための先端角度変更用小型弾力材である。
これによりベビーカーがリクライニングをした状態でも前記７のベビーカーの左右骨組み部分が地面から垂直にない形状のベビーカーや車椅子にも対応し運転者の動力をベビーカーや車椅子に伝える事ができる。
【産業上の利用可能性】
【００１８】
本発明の手押し車、特にベビーカーまたは車椅子用補助具はさまざまなタイプのベビーカーや車椅子に装着でき、この補助具を使用する事で運転者の労力を大幅に軽減する用途に用いることが出来る。
【符号の説明】
【００１９】
１  調整ベルト
２  かまぼこ型弾力材
３  上部固定ベルト
４  下部固定ベルト
５  ハンドバンド
６  べビーカーの左右ハンドル
７  ベビーカーの左右骨組み部分
８  ベビーカーの下部骨組み部分
９  車いすのハンドル
１０車いすの左右骨組み部分
１１車いすの下部骨組み部分
１２U字型弾力材
１３先端角度変更用小型弾力材を連結させるための面ファスナー
１４先端角度変更用小型弾力材
【要約】
【課題】
本発明品はベビーカーまたは、車いすの運転者が歩くたびに補助具が体の前側の腹部や脚に当たる事によって、ベビーカーまたは車椅子を前進させる事が出来るベビーカーまたは車椅子用補助具である。
【解決手段】  
体とベビーカーまたは車椅子の間に本発明品の弾力材２を装着する事で、体を前に出すだけで腕力を使わずにベビーカーまたは車椅子も前に前進させる事ができる。また弾力材はU字型の形状でも可能であるため、ベビーカーをリクライニングした状態でも補助具が赤ちゃんの頭部に当たらないままの利用を可能にした。ベビーカーまたは車椅子を体の前側の腹部や脚で動かせるようになり、運転者の腕力の疲労を軽減する。
【選択図】  図４【図１】
0005867971.tif 000002
【図２】
0005867971.tif 000003
【図３】
0005867971.tif 000004
【図４】
0005867971.tif 000005
【図５】
0005867971.tif 000006
【図６】
0005867971.tif 000007
【図７】
0005867971.tif 000008
【図８】
0005867971.tif 000009